(57)【要約】【課題】  狭い空間において作業性よくバッテリーポストに取り付けることができ、また、一個の部品からなるため、構成部品の紛失により取り付け作業が不可能になることもないバッテリー端子を提供する。【解決手段】  バッテリーのバッテリーポストに取り付けられるバッテリー端子において、略環状をなすように曲げられた電極把持部と、該電極把持部の両端に延設された一対の締付け部とを具備し、前記一対の締付け部はウオームホイール部を有する連結ボルトで連結され、前記一対の締付け部の一方には、前記ウオームホイール部とかみ合うウオーム部を有する回転軸体が前記電極把持部の環状の軸方向に取り付けられ、前記回転軸体を回転することにより、前記一対の締付け部を接近させ、前記電極把持部を縮径して、バッテリーポストに締着させる。【選択図】  図１
2006190566.tif 000002
【特許請求の範囲】
【請求項１】
バッテリーのバッテリーポストに取り付けられるバッテリー端子において、
略環状をなすように曲げられた電極把持部と、該電極把持部の両端に延設された一対の締付け部とを具備し、
前記一対の締付け部はウオームホイール部を有する連結ボルトで連結され、前記一対の締付け部の一方には、前記ウオームホイール部とかみ合うウオーム部を有する回転軸体が前記電極把持部の環状の軸方向に取り付けられ、
前記回転軸体を回転することにより、前記一対の締付け部を接近させ、前記電極把持部を縮径して、バッテリーポストに締着させることを特徴とするバッテリー端子。
【発明の詳細な説明】
【技術分野】
【０００１】
本発明は、自動車用バッテリーなどのバッテリーポストに取り付けられるバッテリー端子に関し、特にバッテリーポストの上方から取り付けることができるバッテリー端子に関する。
【背景技術】
【０００２】
従来のバッテリーポストに取り付けるバッテリー端子は、例えば、バッテリーの上面に垂直方向に突出させたバッテリーポストにバッテリー端子の電極嵌合部を外嵌し、一対の締付板部のボルト穴にボルトを通し、該ボルトに対してナットを水平方向（バッテリーポストに対して横方向）から締め付け、バッテリー端子をバッテリーポストに固定している（例えば、特許文献１の段落０００２、図３参照。）。
【０００３】
また、バッテリーポストの上方からの作業により、バッテリー端子をバッテリーポストに取り付けるものもある。例えば、バッテリーポストに外嵌した端子本体の電極嵌合部に締付具を上方から被せて、電極嵌合部の外周面のテーパネジに締付具の内周面のテーパネジを螺合させ、上方からの回転作業によるネジ締で電極嵌合部をバッテリーポストに締め付け固定する（例えば、特許文献１の段落０００７、０００８、図１参照。）。
【特許文献１】特開平１１−１６６２２号公報
【発明の開示】
【発明が解決しようとする課題】
【０００４】
しかしながら、上述のバッテリー端子には以下のような問題があった。即ち、
１）第１のバッテリー端子は、バッテリーポストに対して横方向から取り付け作業を行うため、エンジンルーム内のような空間では、取り付け作業上、障害物が多く、取り付け作業性が悪い。
２）第２のバッテリー端子は、バッテリーポストに対して上方から取り付け作業を行うが、端子本体と締付具の二部品から構成されているため、締付具を紛失し、取り付け不可能になる場合があった。
【課題を解決するための手段】
【０００５】
本発明は上記問題点を解決すべくなされたもので、バッテリーのバッテリーポストに取り付けられるバッテリー端子において、略環状をなすように曲げられた電極把持部と、該電極把持部の両端に延設された一対の締付け部とを具備し、前記一対の締付け部はウオームホイール部を有する連結ボルトで連結され、前記一対の締付け部の一方には、前記ウオームホイール部とかみ合うウオーム部を有する回転軸体が前記電極把持部の環状の軸方向を向くように取り付けられ、前記回転軸体を回転することにより、前記一対の締付け部を接近させ、前記電極把持部を縮径して、バッテリーポストに締着させることを特徴とするものである。
【発明の効果】
【０００６】
本発明のバッテリー端子は、バッテリーポストの上方から回転軸体を回転させる作業のみで、電極把持部をバッテリーポストに締着させることができるので、狭い空間においても作業性よくバッテリーポストに取り付けることができ、また、一個の部品からなるため、構成部品の紛失により取り付け作業が不可能になることもないという利点がある。
【発明を実施するための最良の形態】
【０００７】
以下、図面に基づいて本発明の実施の形態を詳細に説明する。
図１（ａ）、（ｂ）、（ｃ）、（ｄ）はそれぞれ、本発明にかかるバッテリー端子の一実施形態の平面図、正面図、Ａ−Ａ断面図、およびＢ−Ｂ断面図である。
【０００８】
本実施形態のバッテリー端子１は、バッテリーポストに締着させる電極把持部２と、電線を接続する電線接続部３を備えている。
電極把持部２は、図１（ａ）に示すように、金属板材が曲げられて略環状をなしたもので、その両端部は開いて間隙２ａを有している。また、電極把持部２の両端には一対の締付け部４、５が設けられている。
【０００９】
締付け部４には貫通孔（図示されず）が設けられ、前記貫通孔と同心になるようにナット６が外側に取り付けられている。また、締付け部５は、図１（ｄ）に示すように、コ字状をなし、回転軸体７が縦方向に取り付けられている。回転軸体７は、図１（ｂ）に示すように、ウオーム部７ａを有し、スラスト軸受８で支持されている。
締付け部４、５には、両者を横方向に貫通するボルト９が取り付けられている。ボルト９は，図１（ｄ）に示すように、フランジ９ａおよびウオームホイール部９ｂを有している。ボルト９は一端が締付け部４のナット６と螺合し、ウオームホイール部９ｂが回転軸体７のウオーム部７ａとかみ合い、ボルト９と回転軸体７はウオームギアを構成している。
【００１０】
本実施形態では、回転軸体７を回転すると、回転軸体７とウオームギアを構成するボルト９が回転する。ボルト９が回転して、図１（ｄ）において左方向に進行すると、ボルト９のフランジ９ａが締付け部５に右方向から当接し、さらに左方向に進行すると、フランジ９ａが締付け部５を左方向に押して、締付け部４、５の間隔２ａの幅が狭くなる。
【００１１】
本実施形態が従来例と異なる特徴的なことは、上述のように、締付け部４、５を横方向にボルト９で連結し、ボルト９とウオームギアを構成する回転軸体７を縦方向に設け，回転軸体７を回転することにより、前記一対の締付け部４、５を接近させるようにしたことである。
したがって、本実施形態によれば、環状の電極把持部２をバッテリーポストに外嵌し、縦方向に設けた回転軸体７を上方から（言い換えると、取り付けられるバッテリーポストの上方から）回転することにより、締付け部４、５を接近させ（間隙２ａの幅を狭くし）、電極把持部２を縮径してバッテリーポストに締着させることができる。
【００１２】
なお、上記実施形態は、本発明を具体化した一例であって、本願発明の技術的範囲を限定するものではない。例えば、ボルト９の回転により締付け部４、５の間隔２ａの幅を狭くしているが、ボルト９の締付け部４、５ヘの取り付け構造は上記実施形態に限らず、さまざまな構造を採用することができる。
【図面の簡単な説明】
【００１３】
【図１】（ａ）〜（ｄ）はそれぞれ、本発明に係るバッテリー端子の一実施形態の平面図、正面図、Ａ−Ａ断面図、およびＢ−Ｂ断面図である。
【符号の説明】
【００１４】
１                      バッテリー端子
２                      電極把持部
２ａ                    間隙
３                      電線接続部
４、５                  締付け部
６                      ナット
７                      回転軸体
７ａ                    ウオーム部
８                      スラスト軸受
９                      ボルト
９ａ                    フランジ
９ｂ                    ウオームホイール部
【図１】
2006190566.tif 000003